(57)【要約】      （修正有）【課題】金属と樹脂を用いた複合構造の開口枠にロック部材に対する受け部品を取り付けつつも、その断熱性能や外観品質を確保することができる建具を提供する。【解決手段】建具１０は、金属枠材１６の室内側に樹脂枠材を装着した開口枠１２の開口部１３に対し、框体で面材３８を保持した障子１４を開閉可能に取り付けた構成である。障子１４は、框体から開口枠１２に向かって進退可能なロック部材であるラッチ片３５ａを有し、樹脂枠材は、中空部２９を有すると共に、開口部１３の見込み面２８を形成する中空部２９の壁部にラッチ片３５ａを係止する受け部品３４を取り付けている。【選択図】図３
2020076314.tif 000002
【特許請求の範囲】
【請求項１】
開口枠の開口部に対し、框体で面材を保持した障子を開閉可能に取り付けた建具であって、
前記障子は、前記框体から前記開口枠に向かって進退可能なロック部材を有し、
前記ロック部材を係止する受け部品を、前記開口部の見込み面を形成する壁部に当接し、且つ一部が前記壁部の裏側に形成された空間部に埋没した状態で設置し、
前記空間部を構成する室内側見付け面には、前記開口部に向かって突出するリブが設けられていることを特徴とする建具。
【請求項２】
請求項１記載の建具において、
前記リブは、前記開口枠の縦枠の長手方向に亘って設けられていることを特徴とする建具。
【請求項３】
請求項２記載の建具において、
前記開口枠は、上枠、下枠及び左右の前記縦枠を有し、前記上枠の両端部をそれぞれ前記左右の縦枠に挿入した状態で前記上枠及び前記左右の縦枠が結合されていることを特徴とする建具。
【発明の詳細な説明】
【技術分野】
【０００１】
本発明は、開口枠の開口部に障子を開閉可能に取り付けた建具に関する。
【背景技術】
【０００２】
近年、断熱性能や結露防止等のために金属枠材の室内側に樹脂枠材を装着した複合構造の開口枠が多くの建具で採用されている。例えば特許文献１には、複合構造の開口枠に障子を室外側に向かって開閉可能に取り付けた構成の縦すべり出し窓の建具が開示されている。
【０００３】
このような縦すべり出し窓やすべり出し窓の建具では、障子に設けたカムラッチハンドルのラッチ片を受ける受け部品が開口枠に取り付けられている。特許文献１の構成では、樹脂枠材に形成した中空部の室内側見付け面に受け部品を取り付けることで、この室内側見付け面をラッチ片（ロック部材）のロック面として構成している。
【先行技術文献】
【特許文献】
【０００４】
【特許文献１】特開２０１４−１６３０７７号公報
【発明の概要】
【発明が解決しようとする課題】
【０００５】
ところが、上記特許文献１の構成では、樹脂枠材に形成した中空部の室内側見付け面をロック面としているため、中空部の大きさを見込み方向に拡大することができない。すなわち、中空部は樹脂枠材の断熱層となる部分であり、その大きさは断熱性能に大きく影響する。しかしながら、特許文献１の構成では中空部の見込み寸法を最小限に設定せざるを得ず、断熱性能の向上は限定的である。しかも特許文献１の構成では、樹脂枠材の室内側見付け面にラッチ片が配置されるため、室内側から見た際の部品点数が多く、外観品質が低い。
【０００６】
本発明は、上記従来技術の課題を考慮してなされたものであり、金属と樹脂を用いた複合構造の開口枠にロック部材に対する受け部品を取り付けつつも、その断熱性能や外観品質を確保することができる建具を提供することを目的とする。
【課題を解決するための手段】
【０００７】
本発明に係る建具は、開口枠の開口部に対し、框体で面材を保持した障子を開閉可能に取り付けた建具であって、前記障子は、前記框体から前記開口枠に向かって進退可能なロック部材を有し、前記ロック部材を係止する受け部品を、前記開口部の見込み面を形成する壁部に当接し、且つ一部が前記壁部の裏側に形成された空間部に埋没した状態で設置し、前記空間部を構成する室内側見付け面には、前記開口部に向かって突出するリブが設けられていることを特徴とする。
【発明の効果】
【０００８】
本発明によれば、樹脂枠材に設ける中空部の見込み寸法を十分に拡大して断熱性能を十分に確保しつつ、受け部品の設置スペースを確保できる。しかも、室内側から見た場合に受け部品及びこれに係止されたロック部材が目立つことがなく、その外観品質が高い。
【図面の簡単な説明】
【０００９】
【図１】図１は、本発明の一実施形態に係る建具を室内側から見た正面図である。
【図２】図２は、図１に示す建具の縦断面図である。
【図３】図３は、図１に示す建具の横断面図である。
【図４】図４は、上枠と縦枠の取付構造を示す要部拡大分解斜視図である。
【図５】図５は、カムラッチハンドル及び受け部品の取付構造を示す要部拡大分解斜視図である。
【図６】図６は、カムラッチハンドル及び受け部品の取付構造を示す要部拡大斜視図である。
【発明を実施するための形態】
【００１０】
以下、本発明に係る建具について好適な実施の形態を挙げ、添付の図面を参照しながら詳細に説明する。
【００１１】
図１は、本発明の一実施形態に係る建具１０を室内側から見た正面図である。図２は、図１に示す建具１０の縦断面図であり、図３は、図１に示す建具１０の横断面図である。
【００１２】
図１〜図３に示すように、建具１０は、建物躯体の開口部に固定される開口枠１２と、開口枠１２の開口部１３に開閉可能に取り付けられた障子１４とを備える。本実施形態では、縦長形状の開口枠１２の見込み方向室外側へと障子１４を縦すべり出し可能に組み付けた縦すべり出し窓の建具１０を例示する。
【００１３】
開口枠１２は、上枠１２ａと、下枠１２ｂと、左右の縦枠１２ｃ，１２ｄとを四周枠組みすることで矩形の開口部１３を形成したものである。開口枠１２は、室外側に配設される金属枠材１６と、室内側に配設される樹脂枠材１８とを組み合わせた複合構造である（図２及び図３参照）。金属枠材１６は、アルミニウム等の金属の押出形材である。樹脂枠材１８は、塩化ビニル樹脂（ＰＶＣ）等の樹脂の押出形材である。
【００１４】
本出願において、見込み方向とは建具１０の室内外方向（図中に矢印Ｚで示す方向）をいい、見込み面とは見込み方向に沿って延在する面をいう。見付け方向とは見込み方向に直交する方向であり、上下方向に長尺な縦枠１２ｃ，１２ｄ等の場合はその長手方向である上下方向（図中に矢印Ｙで示す方向）をいい、左右方向に長尺な上枠１２ａ及び下枠１２ｂ等の場合はその長手方向である左右方向（図中に矢印Ｘで示す方向）をいう。見付け面とは見付け方向に沿った面をいう。また、開口枠１２の内側（内周）とは障子１４が配置される開口部１３側の部分をいい、開口枠１２の外側（外周）とは開口部１３側とは反対側の部分をいう。
【００１５】
上枠１２ａは、金属枠材１６の金属上枠１６ａに樹脂枠材１８の樹脂上枠１８ａを組み付けたものである。下枠１２ｂは、金属枠材１６の金属下枠１６ｂに樹脂枠材１８の樹脂下枠１８ｂを組み付けたものである。縦枠１２ｃ，１２ｄは、それぞれ金属枠材１６の金属縦枠１６ｃ，１６ｄに樹脂枠材１８の樹脂縦枠１８ｃ，１８ｄを組み付けたものである。各枠１２ａ〜１２ｄは、それぞれくぎやねじ等の固定具２０を用いて建物躯体に固定される。
【００１６】
図２に示すように、金属上枠１６ａは、内側見込み面２２の室内側部分に樹脂上枠１８ａが装着されている。内側見込み面２２の室外側部分は、障子１４が配置される障子配置部２３となる。金属上枠１６ａは、内側見込み面２２の室内外方向略中央から内向きに突出した突出片２４と、内側見込み面２２の室内側端部に設けられた係合部２５とを有する。
【００１７】
樹脂上枠１８ａは、外側見込み面の室外側端部に設けられた係合部２６と、外側見込み面の室内側端部から外向きに突出した突出片２７とを有する。係合部２６及び突出片２７は、それぞれ金属上枠１６ａの突出片２４及び係合部２５と係合される。これにより樹脂上枠１８ａが金属上枠１６ａと連結される。樹脂上枠１８ａは、開口枠１２の内側見込み面、つまり開口部１３の見込み面２８を中空部２９の壁部によって形成している。中空部２９の室外側の壁部である室外側見付け面３０は障子配置部２３に配置される障子１４の戸当たりとなる。
【００１８】
図２に示すように、障子配置部２３、突出片２４及び係合部２５は、金属下枠１６ｂの内側見込み面２２にも設けられている。係合部２６及び突出片２７は、樹脂下枠１８ｂの見込み面２８にも設けられている。樹脂下枠１８ｂは、中空部２９を持たず、その室外側見付け面３０が障子１４の戸当たりとなる。
【００１９】
図３に示すように、障子配置部２３、突出片２４及び係合部２５は、金属縦枠１６ｃ，１６ｄの内側見込み面２２にも設けられている。係合部２６、突出片２７、中空部２９及び室外側見付け面３０は、樹脂縦枠１８ｃ，１８ｄの見込み面２８にも設けられている。樹脂縦枠１８ｃ，１８ｄの室内側見付け面３１の内周側端部には、開口部１３へと内向きに突出したリブ３２が設けられている。リブ３２は、樹脂縦枠１８ｃ，１８ｄの全長に亘って延在している。
【００２０】
一方の縦枠１２ｄは、障子１４の戸先側となる。この縦枠１２ｄを構成する樹脂縦枠１８ｄは、中空部２９の壁部で形成した見込み面２８に受け部品３４が取り付けられている。受け部品３４は、障子１４に設けられたカムラッチハンドル（カムラッチ）３５のラッチ片（ロック部材）３５ａを係止する金具である。
【００２１】
図４は、上枠１２ａと縦枠１２ｄの取付構造を示す要部拡大分解斜視図である。
【００２２】
図４に示すように、縦枠１２ｄは、見込み面２８の上端部が切欠部２８ａによって切り欠かれている。この切欠部２８ａには、上枠１２ａの中空部２９を形成する壁部が挿入される。これにより、上枠１２ａの端部が縦枠１２ｄの室内側見付け面３１の裏側に隠された状態で上枠１２ａと縦枠１２ｄが連結される（図１参照）。この際、リブ３２は縦枠１２ｄの全長に亘って延在しているため、リブ３２によっても上枠１２ａが隠される。なお、上枠１２ａの他方の端部と縦枠１２ｃとの連結構造も同様であり、下枠１２ｂの両端部と縦枠１２ｃ，１２ｄとの連結構造も同様である。つまり、開口枠１２は、横枠である上枠１２ａ及び下枠１２ｂが、縦枠１２ｃ，１２ｄの内側にインロウ結合された縦勝ち枠構造となっている。
【００２３】
障子１４は、框体３６で面材３８を保持した構成である。
【００２４】
面材３８は、スペーサ３９を介して一対のガラス板３８ａ，３８ｂを互いに間隔を隔てて対面配置した２層の複層ガラスである。面材３８は、１層又は３層以上のガラス板で構成されてもよい。
【００２５】
框体３６は、上框３６ａと、下框３６ｂと、縦框３６ｃ，３６ｄとを四周框組みして面材３８を保持したものである。各框３６ａ〜３６ｄは、室外側に配設される金属框材４０の室内側に押縁となる樹脂框材４１を装着した複合構造である。金属框材４０は、アルミニウム等の金属の押出形材である。樹脂框材４１は、塩化ビニル樹脂（ＰＶＣ）等の樹脂の押出形材である。
【００２６】
框体３６は、各框３６ａ〜３６ｄの金属框材４０と樹脂框材４１とで形成された内向きの開口溝４２内で面材３８の外周縁部を保持している。開口溝４２と面材３８との間にはガスケット４４が介在している。
【００２７】
障子１４は、上框３６ａ及び下框３６ｂがそれぞれ上枠１２ａ及び下枠１２ｂとアーム４５を介して連結されることで見込み方向に開閉可能である。障子１４は、一方の縦框３６ｃが吊元側となり、他方の縦框３６ｄが戸先側となる。戸先側の縦框３６ｄを構成する樹脂框材４１の室内側見付け面には、カムラッチハンドル３５を回動可能に支持したハンドルベース４６が連結されている。カムラッチハンドル３５は、人手で回動操作することで、先端のラッチ片３５ａが対向する縦枠１８ｄ側に進退する。これにより、障子１４を閉じてラッチ片３５ａを受け部品３４に係止させることで障子１４をロックできる。
【００２８】
図２及び図３に示すように、建具１０は、開口枠１２の開口部１３の室内側を開閉可能な網戸装置４８を有する。網戸装置４８は、各枠１８ａ〜１８ｄの見込み面２８の室内側に設けられている。本実施形態の場合は、網戸装置４８は、上部の回転ロール４８ａで網４８ｂを巻取り可能且つ送出し可能な上げ下げロール網戸である。網戸装置４８は、網４８ｂを上下動可能にガイドする左右の縦レール４８ｃを有する。左右の縦レール４８ｃは、それぞれ樹脂縦枠１８ｃ，１８ｄの中空部２９を構成する室内側の壁部の室内側見付け面３１に両面テープ等を用いて固定されている。なお、図１では網戸装置４８の図示を省略している。
【００２９】
図５は、カムラッチハンドル３５及び受け部品３４の取付構造を示す要部拡大分解斜視図である。図６は、カムラッチハンドル３５及び受け部品３４の取付構造を示す要部拡大斜視図である。
【００３０】
図５及び図６に示すように、カムラッチハンドル３５のハンドルベース４６は、樹脂框材４１の室内側見付け面に対してライナー板５０を挟んで取り付けられる。樹脂框材４１の室内側見付け面には上下一対の孔部５１が形成されている。ライナー板５０にも一対の孔部５１と同ピッチの孔部５０ａが形成されている。樹脂框材４１の室内側見付け面の裏面（開口溝４２側）には、Ｌ字の裏板５２が金属框材４０とビス止め固定されている（図３参照）。カムラッチハンドル３５は、裏板５２の一対のボス５２ａを孔部５１，５０ａを通してハンドルベース４６に嵌合させてビス止め固定することで框体３６に取付固定されている。
【００３１】
受け部品３４は、表面板３４ａを有するケース３４ｂと、表面板３４ａに開口した円弧状の凹部３４ｃとを有する金具である。表面板３４ａは、樹脂縦枠１８ｄの見込み面２８に配置される。この見込み面２８には、中空部２９に連通する取付孔５４が形成されている。ケース３４ｂの見込み方向両側面には係止突起３４ｄが形成されている。ケース３４ｂは、取付孔５４を通して中空部２９内に配置される。また、表面板３４ａは見込み面２８に載置され、係止突起３４ｄは取付孔５４を形成した樹脂縦枠１８ｄの壁部の裏面に係止される。これにより、受け部品３４は、スナップインで樹脂縦枠１８ｄに取付固定される。
【００３２】
以上のように、本実施形態に係る建具１０は、金属枠材１６の室内側に樹脂枠材１８を装着した開口枠１２の開口部１３に対し、框体３６で面材３８を保持した障子１４を開閉可能に取り付けた構成である。そして建具１０では、障子１４は、框体３６から開口枠１２に向かって進退可能なロック部材であるラッチ片３５ａを有し、樹脂枠材１８は、中空部２９を有すると共に、開口部１３の見込み面２８を形成する中空部２９の壁部にラッチ片３５ａを係止する受け部品３４を取り付けている。
【００３３】
このように、建具１０は、障子１４側のラッチ片３５ａを係止する受け部品３４を、開口部１３の見込み面２８を形成する中空部２９の壁部に取り付けている。このため、中空部２９の見込み寸法を十分に拡大して断熱性能を十分に確保しつつ、受け部品３４の設置スペースを確保できる。しかも、建具１０は受け部品３４を見込み面２８に設けているため、室内側から見た場合に受け部品３４及びこれに係止されたラッチ片３５ａが目立つことがなく、その外観品質が高い。
【００３４】
建具１０は、中空部２９を構成する室内側見付け面３１には、開口部１３に向かって突出することで受け部品３４を見込み方向で覆うリブ３２が設けられている。このため、受け部品３４及びこれに係止されたラッチ片３５ａがリブ３２によって確実に隠され、建具１０の外観品質が一層向上する。
【００３５】
建具１０は、上枠１２ａ及び下枠１２ｂの両端部をそれぞれ左右の縦枠１２ｃ，１２ｄの内側に挿入した状態で結合した、いわゆる縦勝ち枠構造の開口枠１２を備え、リブ３２は縦枠１２ｃ，１２ｄの長手方向に亘って設けられている。これにより、建具１０は室内側から見た場合にリブ３２及び縦枠１２ｃ，１２ｄの室内側見付け面３１が縦方向に揃って延在する。このため、建具１０の外観品質が一層向上する。
【００３６】
建具１０では、上記のように中空部２９の見込み面２８に受け部品３４を設けたことで、中空部２９を構成する室内側見付け面３１に受け部品３４を設ける必要がない。そこで、この室内側見付け面３１及びその周囲を網戸装置４８の設置空間として利用することができる。この際、建具１０では、網戸装置４８の縦レール４８ｃが縦枠１２ｃ，１２ｄの長手方向に延在したリブ３２と面一に設定されている（図３参照）。このため、開口部１３を室内側から見た際の外観品質が一層向上する。
【００３７】
なお、本発明は、上記した実施形態に限定されるものではなく、本発明の主旨を逸脱しない範囲で自由に変更できることは勿論である。
【００３８】
例えば上記実施形態では、縦すべり出し窓の建具１０を例示したが、本発明はすべり出し窓の建具にも適用可能である。なお、すべり出し窓の場合は、カムラッチハンドル３５を例えば下框３６ｂに設け、下枠１２ｂにも中空部２９を形成し、その見込み面２８に受け部品３４を設けるとよい。
【００３９】
受け部品３４に係止されるロック部材は、カムラッチハンドル３５のラッチ片３５ａ以外であってもよい。例えば、ロック部材として、障子１４の下框３６ｂの端部から縦枠１２ｄの見込み面２８に向かって進退可能なスライド式のサブロックを用いてもよい。
【００４０】
網戸装置４８は、上記した上げ下げロール網戸以外であってもよく、例えば上げ下げ網戸や横引きロール網戸等でもよい。
【００４１】
本発明に係る建具は、金属枠材の室内側に樹脂枠材を装着した開口枠の開口部に対し、框体で面材を保持した障子を開閉可能に取り付けた建具であって、前記障子は、前記框体から前記開口枠に向かって進退可能なロック部材を有し、前記樹脂枠材は、中空部を有すると共に、前記開口部の見込み面を形成する前記中空部の壁部に前記ロック部材を係止する受け部品を取り付けたことを特徴とする。
【００４２】
このような構成によれば、建具は、障子側のロック部材を係止する受け部品を、開口部の見込み面を形成する中空部の壁部に取り付けている。このため、中空部の見込み寸法を十分に拡大して断熱性能を十分に確保しつつ、受け部品の設置スペースを確保できる。しかも、建具は受け部品を見込み面に設けているため、室内側から見た場合に受け部品及びこれに係止されたロック部材が目立つことがなく、その外観品質が高い。
【００４３】
本発明に係る建具において、前記中空部を構成する室内側見付け面には、前記開口部に向かって突出することで、前記受け部品を見込み方向で覆うリブが設けられた構成であってもよい。そうすると、受け部品及びこれに係止されたロック部材がリブによって確実に隠されるため、建具の外観品質が一層向上する。
【００４４】
本発明に係る建具において、前記開口枠は、上枠、下枠及び左右の縦枠を有し、前記上枠及び前記下枠の両端部をそれぞれ前記左右の縦枠の内側に挿入した状態で前記上枠、下枠及び左右の縦枠が結合されており、前記リブは、前記縦枠の長手方向に亘って設けられた構成であってもよい。このように、開口枠を縦勝ち枠構造で構成し、リブを縦枠の長手方向に亘って設けることで、リブ及び縦枠の室内側見付け面が縦方向に揃って延在する。このため、建具の外観品質が一層向上する。
【００４５】
本発明に係る建具において、前記樹脂枠材は、前記中空部を構成する室内側見付け面に網戸装置が配置された構成であってもよい。すなわち、建具では、中空部を構成する見込み面に受け部品を設けたことで、中空部を構成する室内側見付け面に受け部品を設ける必要がない。そこで、この室内側見付け面及びその周囲を網戸装置の設置空間として利用することができる。
【００４６】
本発明に係る建具は、本発明に係る建具は、開口枠の開口部に対し、框体で面材を保持した障子を開閉可能に取り付けた建具であって、前記障子は、前記框体から前記開口枠に向かって進退可能なロック部材を有し、前記ロック部材を係止する受け部品を、前記開口部の見込み面を形成する壁部に当接し、且つ一部が前記壁部の裏側に形成された空間部に埋没した状態で設置し、前記空間部を構成する室内側見付け面には、前記開口部に向かって突出するリブが設けられていることを特徴とする。
【００４７】
本発明に係る建具において、前記リブは、前記開口枠の縦枠の長手方向に亘って設けられていてもよい。
【００４８】
本発明に係る建具において、前記開口枠は、上枠、下枠及び左右の前記縦枠を有し、前記上枠の両端部をそれぞれ前記左右の縦枠に挿入した状態で前記上枠及び前記左右の縦枠が結合された構成としてもよい。
【符号の説明】
【００４９】
１０  建具、１２  開口枠、１２ａ  上枠、１２ｂ  下枠、１２ｃ，１２ｄ  縦枠、１４  障子、１６  金属枠材、１８  樹脂枠材、２２  内側見込み面、２３  障子配置部、２８  見込み面、２９  中空部、３０  室外側見付け面、３１  室内側見付け面、３２  リブ、３４  受け部品、３５  カムラッチハンドル、３５ａ  ラッチ片、３６  框体、３８  面材、４８  網戸装置
【図１】
2020076314.tif 000003
【図２】
2020076314.tif 000004
【図３】
2020076314.tif 000005
【図４】
2020076314.tif 000006
【図５】
2020076314.tif 000007
【図６】
2020076314.tif 000008